【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
複数のＬＡＮケーブルを接続して複数のネットワークに接続可能な通信装置であって、
情報を通知可能な通知デバイスと
ネットワークに接続可能な第１のＬＡＮインターフェースと
ネットワークに接続可能な第２のＬＡＮインターフェースと
前記第１のＬＡＮインターフェースにＬＡＮケーブルが接続された状態において、前記ＬＡＮケーブルを介してＤＨＣＰディスカバリパケットを送信する送信手段と、
前記ＤＨＣＰディスカバリパケットに応じて送信されてきたＤＨＣＰオファーパケットおよび前記第２のＬＡＮインターフェースを介する通信に用いられたネットワーク情報に基づいて、前記通知デバイスを用いた通知をおこなうか否かを決定し、通知する決定にしたがって前記通知デバイスに情報を通知させる通知手段
を有することを特徴とする通信装置。
【請求項２】
前記通知デバイスは、情報を表示する表示デバイスであり、
前記通知する決定にしたがって、前記表示デバイスに通知情報を表示する
ことを特徴とする請求項１に記載の通信装置。
【請求項３】
前記ＤＨＣＰオファーパケットに含まれるＩＰアドレスのネットワーク部と、前記第２のＬＡＮポートに設定されていたＩＰアドレスのネットワーク部とが一致したことに基づいて、前記表示デバイスに前記通知情報を表示することを特徴とする請求項２に記載の通信装置。
【請求項４】
前記通知情報は、前記ＬＡＮケーブルの挿入状態の確認をユーザに促す情報である
ことを特徴とする請求項２又は３に記載の通信装置。
【請求項５】
前記通知情報は、前記第１のＬＡＮインターフェースを用いての通信が利用不可であることを示す情報である
ことを特徴とする請求項２〜４のいずれか１項に記載の通信装置。
【請求項６】
前記ＤＨＣＰオファーパケットに含まれるＩＰアドレスのネットワーク部と、前記第２のＬＡＮポートに設定されていたＩＰアドレスのネットワーク部とが一致したことに基づいて、前記ＤＨＣＰオファーパケットに含まれるＩＰアドレスでは前記第１のＬＡＮポートを介した通信を行わないことを決定する
ことを特徴とする請求項１〜５のいずれか１項に記載の通信装置。
【請求項７】
前記送信手段は、前記第１のＬＡＮインターフェースにＬＡＮケーブルが接続されたことに従って、前記ＬＡＮケーブルを介してＤＨＣＰディスカバリパケットを送信する
ことを特徴とする請求項１〜６のいずれか１項に記載の通信装置。
【請求項８】
前記送信手段は、前記第２のＬＡＮインターフェースにＬＡＮケーブルが接続された状態において、前記ＬＡＮケーブルを介してＤＨＣＰディスカバリパケットを送信し、
前記通知手段は、前記ＤＨＣＰディスカバリパケットに応じて送信されてきたＤＨＣＰオファーパケットおよび前記第１のＬＡＮインターフェースを介する通信に用いられたネットワーク情報に基づいて、前記通知デバイスを用いた通知をおこなうか否かを決定し、通知する決定にしたがって前記通知デバイスに情報を通知する
ことを特徴とする請求項１〜７のいずれか１項に記載の通信装置。
【請求項９】
前記第２のＬＡＮインターフェースを介する通信に用いられたネットワーク情報は、
前記第２のＬＡＮインターフェースに過去に設定されたことのある複数のＩＰアドレスのうちの一つのＩＰアドレスである
ことを特徴とする請求項１〜８のいずれか１項に記載の通信装置。
【請求項１０】
情報を通知可能な通知デバイスと、ネットワークに接続可能な第１のＬＡＮインターフェース、ネットワークに接続可能な第２のＬＡＮインターフェースを備え、複数のＬＡＮケーブルを接続して複数のネットワークに接続可能な通信装置の制御方法であって、
前記第１のＬＡＮインターフェースにＬＡＮケーブルが接続された状態において、前記ＬＡＮケーブルを介してＤＨＣＰディスカバリパケットを送信する送信工程と、
前記ＤＨＣＰディスカバリパケットに応じて送信されてきたＤＨＣＰオファーパケットおよび前記第２のＬＡＮインターフェースを介する通信に用いられたネットワーク情報に基づいて、前記通知デバイスを用いた通知をおこなうか否かを決定し、通知する決定にしたがって前記通知デバイスに情報を通知させる通知工程と、
を有することを特徴とする通信装置の制御方法。
【請求項１１】
情報を通知可能な通知デバイスと、ネットワークに接続可能な第１のＬＡＮインターフェースと、ネットワークに接続可能な第２のＬＡＮインターフェースとを備え、複数のＬＡＮケーブルを接続して複数のネットワークに接続可能な通信装置の制御方法をコンピュータに実行させるプログラムが記憶された記憶媒体であって、
前記制御方法は、
前記第１のＬＡＮインターフェースにＬＡＮケーブルが接続された状態において、前記ＬＡＮケーブルを介してＤＨＣＰディスカバリパケットを送信する送信工程と、
前記ＤＨＣＰディスカバリパケットに応じて送信されてきたＤＨＣＰオファーパケットおよび前記第２のＬＡＮインターフェースを介する通信に用いられたネットワーク情報に基づいて、前記通知デバイスを用いた通知をおこなうか否かを決定し、通知する決定にしたがって前記通知デバイスに情報を通知させる通知工程と、
を有することを特徴とする通信装置の制御方法をコンピュータに実行させるプログラムが記憶された記憶媒体。
【請求項１２】
複数のＬＡＮケーブルを接続して複数のネットワークに接続可能な通信装置であって、
ネットワークに接続可能な第１のＬＡＮインターフェースと、
ネットワークに接続可能な第２のＬＡＮインターフェースと、
前記第１のＬＡＮインターフェースにＬＡＮケーブルが接続された状態において、前記ＬＡＮケーブルを介してＤＨＣＰディスカバリパケットを送信する送信手段と、
前記ＤＨＣＰディスカバリパケットに応じて送信されてきたＤＨＣＰオファーパケットおよび前記第２のＬＡＮインターフェースを介する通信に用いられたネットワーク情報に基づいて、前記ＤＨＣＰオファーパケットに含まれるＩＰアドレスを用いて前記第１のＬＡＮポートを介する通信を行うか否か決定する決定手段と
を有することを特徴とする通信装置。
【請求項１３】
前記決定手段は、前記ＤＨＣＰオファーパケットに含まれるＩＰアドレスのネットワーク部と、前記第２のＬＡＮポートに設定されていたＩＰアドレスのネットワーク部とが一致したことに基づいて、前記ＤＨＣＰオファーパケットに含まれるＩＰアドレスでは前記第１のＬＡＮポートを介する通信を行わないことを決定する
ことを特徴とする請求項１２に記載の通信装置。
【請求項１４】
前記送信手段は、前記第１のＬＡＮインターフェースにＬＡＮケーブルが接続されたことに従って、前記ＬＡＮケーブルを介してＤＨＣＰディスカバリパケットを送信する
ことを特徴とする請求項１２又は１３に記載の通信装置。
【請求項１５】
前記第２のＬＡＮインターフェースを介する通信に用いられたネットワーク情報は、前記第２のＬＡＮインターフェースに過去に設定されたことのある複数のＩＰアドレスのうちの一つのＩＰアドレスである
ことを特徴とする請求項１２〜１４のいずれか1項に記載の通信装置。
【請求項１６】
前記送信手段は、前記第２のＬＡＮインターフェースにＬＡＮケーブルが接続された状態において、前記ＬＡＮケーブルを介してＤＨＣＰディスカバリパケットを送信し、
前記決定手段は、前記ＤＨＣＰディスカバリパケットに応じて送信されてきたＤＨＣＰオファーパケットおよび前記第１のＬＡＮインターフェースを介する通信に用いられたネットワーク情報に基づいて、前記ＤＨＣＰオファーパケットに含まれるＩＰアドレスを用いて前記第２のＬＡＮポートを介する通信を行うか否か決定する
ことを特徴とする請求項１２〜１５のいずれか１項に記載の通信装置。
【手続補正２】
【補正対象書類名】明細書
【補正対象項目名】０００７
【補正方法】変更
【補正の内容】
【０００７】
上記目的を達成する本発明の通信装置は以下の構成を備える。
複数のＬＡＮケーブルを接続して複数のネットワークに接続可能な通信装置であって、情報を通知可能な通知デバイスとネットワークに接続可能な第１のＬＡＮインターフェースとネットワークに接続可能な第２のＬＡＮインターフェースと前記第１のＬＡＮインターフェースにＬＡＮケーブルが接続された状態において、前記ＬＡＮケーブルを介してＤＨＣＰディスカバリパケットを送信する送信手段と、前記ＤＨＣＰディスカバリパケットに応じて送信されてきたＤＨＣＰオファーパケットおよび前記第２のＬＡＮインターフェースを介する通信に用いられたネットワーク情報に基づいて、前記通知デバイスを用いた通知をおこなうか否かを決定し、通知する決定にしたがって前記通知デバイスに情報を通知させる通知手段を有することを特徴とする。
【手続補正３】
【補正対象書類名】明細書
【補正対象項目名】発明の名称
【補正方法】変更
【補正の内容】
【発明の名称】通信装置、通信装置の制御方法及びそのプログラムを記憶した記憶媒体
【手続補正４】
【補正対象書類名】明細書
【補正対象項目名】０００１
【補正方法】変更
【補正の内容】
【０００１】
本発明は、ＬＡＮケーブルの誤挿入検知を行う通信装置、通信装置の制御方法及びプログラムを記憶した記憶媒体に関する。